(57)【要約】【課題】冷却装置に備える送風ファンのメンテナンスを容易に行うことが可能な飲料ディスペンサを提供する。【解決手段】飲料ディスペンサは、提供される飲料を冷却装置５５により予め冷却する。飲料ディスペンサにおいて、筐体内に、冷却装置５５を構成する送風ファン７２を設置する送風ファン設置部６６が設けられ、送風ファン設置部６６に、送風ファン７２を支持した送風ファン支持部材７１を筐体の側方から挿入可能な開口部８８を備える。【選択図】図５
2020132219.tif 000002
【特許請求の範囲】
【請求項１】
提供される飲料を冷却装置により予め冷却する飲料ディスペンサにおいて、
筐体内に、前記冷却装置を構成する送風ファンを設置する送風ファン設置部が設けられ、前記送風ファン設置部に、前記送風ファンを前記筐体の側方から挿入可能な開口部を備えることを特徴とする飲料ディスペンサ。
【請求項２】
前記送風ファンは、送風ファン支持部材に支持され、前記送風ファン支持部材が前記開口部から挿入されて前記送風ファン設置部に設置されることを特徴とする請求項１に記載の飲料ディスペンサ。
【請求項３】
前記送風ファン支持部材には、前記送風ファンが前記筐体への挿入方向に並べられて支持されることを特徴とする請求項２に記載の飲料ディスペンサ。
【発明の詳細な説明】
【技術分野】
【０００１】
本発明は、飲料ディスペンサに関する。
【背景技術】
【０００２】
従来、圧縮機、熱交換器及び送風ファンなどからなる冷却装置を備える飲料ディスペンサが知られている（例えば、特許文献１参照）。
上記飲料ディスペンサでは、送風ファンが背面に配置されていた。
【先行技術文献】
【特許文献】
【０００３】
【特許文献１】特開２００８−１３９１号公報
【発明の概要】
【発明が解決しようとする課題】
【０００４】
特許文献１では、飲料ディスペンサの背面側からメンテナンス等で送風ファンを交換する場合、飲料ディスペンサの設置場所によって、飲料ディスペンサの後方に壁などが有ると、飲料ディスペンサ自体を移動させる必要があり、手間が掛かるという課題があった。
本発明は、冷却装置に備える送風ファンのメンテナンスを容易に行うことが可能な飲料ディスペンサを提供することを目的とする。
【課題を解決するための手段】
【０００５】
本発明の飲料ディスペンサは、提供される飲料を冷却装置により予め冷却する飲料ディスペンサにおいて、筐体内に、前記冷却装置を構成する送風ファンを設置する送風ファン設置部が設けられ、前記送風ファン設置部に、前記送風ファンを前記筐体の側方から挿入可能な開口部を備えることを特徴としたものである。
これによって、送風ファンを、筐体の側方から送風ファン設置部の開口部を通じて送風ファン設置部に対して容易に脱着可能になる。
【０００６】
また、本発明の飲料ディスペンサは、前記送風ファンが、送風ファン支持部材に支持され、前記送風ファン支持部材が前記開口部から挿入されて前記送風ファン設置部に設置されることを特徴としたものである。
これによって、送風ファンの形状が変更になった場合でも、送風ファン支持部材の形状を送風ファンに合わせればよく、送風ファン設置部の構造を変更しなくて済み、送風ファンの形状自由度が増す。
【０００７】
また、本発明の飲料ディスペンサは、前記送風ファン支持部材には、前記送風ファンが前記筐体への挿入方向に並べられて支持されることを特徴としたものである。
これによって、筐体の前後方向及び上下方向の送風ファンの占有スペースが小さくなり、筐体の前後方向及び上下方向の小型化が図れる。
【発明の効果】
【０００８】
本発明の飲料ディスペンサは、送風ファンを筐体の側方から送風ファン設置部の開口部を通じて送風ファン設置部に対して容易に脱着でき、送風ファンのメンテナンス性を向上させることができる。
【図面の簡単な説明】
【０００９】
【図１】本発明の一実施形態の飲料ディスペンサを示す正面図
【図２】筐体の内部を示す側面図
【図３】送風装置及びその周囲を示す背面図
【図４】送風装置を示す分解斜視図
【図５】送風装置を送風ファン設置部に設置する前の状態を示す斜視図
【図６】送風装置を送風ファン設置部に設置した後の状態を示す斜視図
【発明を実施するための形態】
【００１０】
第１の発明は、提供される飲料を冷却装置により予め冷却する飲料ディスペンサにおいて、筐体内に、前記冷却装置を構成する送風ファンを設置する送風ファン設置部が設けられ、前記送風ファン設置部に、前記送風ファンを前記筐体の側方から挿入可能な開口部を備えることにより、送風ファンを筐体の側方から送風ファン設置部の開口部を通じて送風ファン設置部に対して容易に脱着できる。
【００１１】
第２の発明は、前記送風ファンは、送風ファン支持部材に支持され、前記送風ファン支持部材が前記開口部から挿入されて前記送風ファン設置部に設置されることにより、送風ファンの形状が変更になった場合でも、送風ファン支持部材の形状を送風ファンに合わせればよく、送風ファン設置部の構造を変更しなくて済み、送風ファンの形状自由度を増すことができる。
【００１２】
第３の発明は、前記送風ファン支持部材には、前記送風ファンが前記筐体への挿入方向に並べられて支持されることにより、筐体の前後方向及び上下方向の送風ファンの占有スペースを小さくでき、筐体の前後方向及び上下方向の小型化を図ることができる。
【００１３】
以下、本発明の実施の形態について、図面を参照しながら説明する。
なお、以下説明中の「左」及び「右」は、飲料ディスペンサ１０の前面に向かった状態での方向を示している。
図１は、本発明の一実施形態の飲料ディスペンサ１０を示す正面図、図２は、筐体の内部を示す側面図である。
図１に示すように、飲料ディスペンサ１０は、筐体１１の上部左右に配置された一対のＢＩＢ（Ｂａｇ  Ｉｎ  Ｂｏｘ）１２，１３と、左右のＢＩＢ１２，１３の間の筐体１１に配置されたシロップ供給部１４とを備える。
筐体１１の上部は、筐体１１に開閉可能に取付けられた前カバー１５によって前方から覆われる。前カバー１５の前面には、各種飲料を選択する複数の選択ボタン（不図示）が設けられている。図では、前カバー１５は、開けられた状態にあり、飲料ディスペンサ１０のメンテナンスが可能である。
【００１４】
左右のＢＩＢ１２，１３には、それぞれ異なった飲料の原料が貯められている。
左右のＢＩＢ１２，１３の下端部には、それぞれチューブ１６Ａ，１６Ｂが接続され、チューブ１６Ａ，１６Ｂの先端部にチューブ開口部１７Ａ，１７Ｂが設けられる。
飲料は、飲料の原料と、飲料の原料を希釈する希釈水とが混合されて出来ている。
上記チューブ１６Ａ，１６Ｂは、それぞれペリスタルティックポンプ１８Ａ，１８Ｂを構成するロータ（不図示）とアーム（不図示）との間に挟持されている。上記チューブ１６Ａ，１６Ｂを回転するロータで扱くことで、上記チューブ１６Ａ，１６Ｂ内の飲料が、チューブ開口部１７Ａ，１７Ｂ側に送り出される。
【００１５】
シロップ供給部１４は、カバー部材２１の後方及び後方の下方に、それぞれ不図示の可変バルブ、電磁弁、チューブ、マルチノズル等を備える。
選択ボタンを操作してシロップ飲料を要求すると、シロップタンク内のシロップが電磁弁を通過してマルチノズルに供給される。マルチノズルでは、シロップが希釈水と混合されてシロップ飲料になり、マルチノズル先端から吐出される。
【００１６】
左右のＢＩＢ１２，１３及びシロップ供給部１４の下方で筐体１１の下部には、ドリップトレイ３１が設けられる。ドリップトレイ３１上には、カップ（不図示）が載せられ、上記カップに飲料が注がれる。
【００１７】
図２に示すように、筐体１１は、底壁５１と、底壁５１の左右の側縁から立ち上げられた左右一対の側壁５２（一方の側壁５２のみ図示）と、底壁５１の後縁から立ち上げられた後壁５３とを備える。
底壁５１の上方には、飲料の原料及び希釈水を冷却する冷却装置５５が配置されている。
冷却装置５５は、コンプレッサ５６、コンデンサ５７及び送風装置５８を備える。
送風装置５８は、後壁５３に近接して配置され、前方のコンデンサ５７に送風することで、コンデンサ５７を冷却する。
【００１８】
冷却装置５５の上方には、底壁５１に複数の支柱（不図示）を介して支持された支持部材（不図示）が設けられ、上記支持部材上に水槽６３が配置されている。
水槽６３内には、コンデンサ５７を通過した冷媒が流れる冷却器６４と、飲料の原料を冷却する管からなるシロップ冷却コイル（不図示）と、希釈水を冷却する管からなる希釈水冷却コイル（不図示）とが、水槽６３内に貯められた冷却水中に浸かった状態で配置されている。
【００１９】
図３は、送風装置５８及びその周囲を示す背面図、図４は、送風装置５８を示す分解斜視図である。
図３及び図４に示すように、筐体１１（図２参照）内には、底壁５１（図２参照）上に、背面視矩形状の空間を形成する送風ファン設置部６６が設けられている。
送風装置５８は、輪郭が横長とされたプレート状の送風ファン支持部材７１と、送風ファン支持部材７１の背面７１ｘに取付けられた左右一対の送風ファン７２とを備える。
送風ファン支持部材７１は、左右の送風ファン７２が取付けられる主板部７１ａと、主板部７１ａの一側（右側）の側縁から屈曲して後方に延びる側板部７１ｂとを備える。
【００２０】
主板部７１ａは、主板７１ｙと、主板７１ｙの上縁及び下縁からそれぞれ後方に延びる上フランジ７１ｑ、下フランジｒとを備える。
主板７１ｙは、左右一対の開口部７１ｃ、複数の後方突出部７１ｆ、複数の突起部７１ｇ、上下一対の差し込み部７１ｈを備える。
左右の開口部７１ｃは、それぞれ八角形状を成し、送風ファン７２によって生じる空気流が通過する部分である。後方突出部７１ｆは、各開口部７１ｃの上辺７１ｄ及び下辺７１ｅから後方に突出し、それぞれの先端部７１ｊが、互いに近づくように屈曲している。
各開口部７１ｃの上下の後方突出部７１ｆ間に、側方（左側方）から送風ファン７２が挿入される。送風ファン７２は、上下の後方突出部７１ｆにより挟持されて保持される。また、送風ファン７２は、後方突出部７１ｆの先端部７１ｊによって、後方に外れないように係止される。
【００２１】
突起部７１ｇは、左右の開口部７１ｃの周囲に形成され、突起部７１ｇは、送風ファン７２の穴７６ａと嵌合する。上下一対の差し込み部７１ｈは、主板７１ｙの他側（左側）の側縁から外側方に突出し、送風ファン設置部６６の差し込み穴８４ｃ（図５参照）に挿入されて、送風ファン支持部材７１が左右方向及び前後方向に位置決めされる。上フランジ７１ｑ及び下フランジ７１ｒは、主板７１ｙの上縁及び下縁に形成されて後方に突出している。
【００２２】
側板部７１ｂは、上縁から内側方に突出する上縁突出部７１ｋと、後縁から外側方に突出する側方突出部７１ｍと、前縁から前方に突出する上下一対の前方突出部７１ｎとを備える。
上縁突出部７１ｋには、上方に突出するコネクタ７４が取付けられている。コネクタ７４は、送風ファン７２を構成する電動モータ７７から延びる導線の端部に接続されている。
側方突出部７１ｍは、送風ファン支持部材７１と後壁５３（図２参照）との間の隙間を密閉するパッキン部材の貼付部である。上下一対の前方突出部７１ｎは、それぞれビス挿通穴７１ｐを備え、ビス挿通穴７１ｐに通されたビス（不図示）で上下の前方突出部７１ｎが、送風ファン設置部６６の側部に締結される。
【００２３】
送風ファン７２は、輪郭が矩形とされた枠部７６と、枠部７６に備える中央部７６ｃに取付けられた電動モータ７７と、電動モータ７７の回転軸（不図示）に取付けられたファン７８とを備える。
枠部７６は、四隅にそれぞれ前後一対の穴７６ａを備え、穴７６ａが、主板７１ｙの突起部７１ｇに嵌合して、主板７１ｙに送風ファン７２が固定される。
【００２４】
図５は、送風装置５８を送風ファン設置部６６に設置する前の状態を示す斜視図、図６は、送風装置５８を送風ファン設置部６６に設置した後の状態を示す斜視図である。
底壁５１（図２参照）上には、図５に示すように、冷却装置支持板８１が設けられ、冷却装置支持板８１に冷却装置５５が支持されている。
送風ファン設置部６６は、冷却装置支持板８１上方に立ち上げられた左右一対の一側板部８３及び他側板部８４と、左右の一側板部８３及び他側板部８４の各前部に設けられた取付部８５（一方の取付部８５のみ図示）と、左右の一側板部８３及び他側板部８４の各上端を接続する上板部８６とを備える。
【００２５】
一側板部８３は、側板８３ａと後板８３ｂとを一体に備え、側板８３ａと後板８３ｂとで断面Ｌ字状を成す。他側板部８４は、側板８４ａと、側板８４ａの後縁から外側方に延びる外フランジ８４ｂとを備える。
左右の取付部８５は、それぞれコンデンサ５７の左右の側面に複数のビス８７で取付けられている。上板部８６は、上板８６ａと、上板８６ａの後縁から上方に延びる上フランジ８６ｂとを備え、コンデンサ５７を上方から覆うとともにコンデンサ５７よりも後方まで延びている。上板部８６の上板８６ａには、一側（右側）で後側の角部に、Ｌ字状の切欠き部８６ｃが形成されている。
【００２６】
冷却装置支持板８１は、冷却装置５５が載置された支持板本体８１ａと、支持板本体８１ａの左右の側縁及び後縁からそれぞれ下方に延びる左右一対の側部下フランジ８１ｂ及び後部下フランジ８１ｃとを備え、送風ファン設置部６６の一部を構成する。
冷却装置支持板８１の後部下フランジ８１ｃと、他側板部８４の外フランジ８４ｂと、上板部８６の上フランジ８６ｂとは、同一平面状に配置されている。
【００２７】
一側板部８３の後板８３ｂは、上記した後部下フランジ８１ｃ、外フランジ８４ｂ及び上フランジ８６ｂよりも前方に位置する。即ち、一側板部８３の後板８３ｂの後方で且つ冷却装置支持板８１と上板部８６との間には、側面視で凹状の開口部８８が形成される。
開口部８８は、コンデンサ５７の後方で且つ冷却装置支持板８１と他側板部８４と上板部８６とで囲まれる空間８９へ筐体１１（図２参照）の一側方（右側方）から送風装置５８を矢印で示すように挿入する挿入口となる。
【００２８】
支持板本体８１ａの後部下フランジ８１ｃ、他側板部８４の外フランジ８４ｂ及び上板部８６の上フランジ８６ｂは、後壁５３（図２参照）に近接して配置される又は当接されるため、開口部８８は、側面視では、後壁５３によって矩形状に形成される。
図５及び図６に示すように、送風装置５８を、上記した開口部８８から挿入して送風ファン設置部６６に設置することができる。
【００２９】
このとき、送風ファン支持部材７１の一対の差し込み部７１ｈが、他側板部８４の側板８４ａに形成された差し込み穴８４ｃに挿入されて、送風装置５８（詳しくは、送風装置５８の側端部（左側端部））が前後方向に位置決めされる。
この状態で、送風ファン支持部材７１の一対の前方突出部７１ｎの各ビス挿通穴７１ｐにビス９１が通され、ビス９１が、一側板部８３の側板８３ａに形成されたねじ穴８３ｃにねじ込まれる。
これで、送風装置５８（詳しくは、送風装置５８の側端部（右側端部））が送風ファン設置部６６に固定され、これによって、送風装置５８の送風ファン設置部６６への設置が完了する。
【００３０】
以上の図１、図２及び図５に示したように、飲料ディスペンサ１０は、提供される飲料を冷却装置５５により予め冷却する。飲料ディスペンサ１０において、筐体１１内に、冷却装置５５を構成する送風ファン７２（詳しくは、送風装置５８）を設置する送風ファン設置部６６が設けられ、送風ファン設置部６６に、送風ファン７２を筐体１１の側方から挿入可能な開口部８８を備える。
この構成によれば、送風ファン７２を筐体１１の側方から送風ファン設置部６６の開口部８８を通じて送風ファン設置部６６に対して容易に脱着できる。これにより、送風ファン７２のメンテナンス性を向上させることができる。
【００３１】
また、図４及び図５に示したように、送風ファン７２は、送風ファン支持部材７１に支持され、送風ファン支持部材７１が開口部８８から挿入されて送風ファン設置部６６に設置される。
この構成によれば、送風ファン７２の形状が変更になった場合でも、送風ファン支持部材７１の形状を送風ファン７２に合わせればよく、送風ファン設置部６６の構造を変更しなくて済み、送風ファン７２の形状自由度を増すことができる。
【００３２】
また、図３及び図５に示したように、送風ファン支持部材７１には、送風ファン７２が筐体１１（図２参照）への挿入方向（即ち、筐体１１の左右方向）に並べられて支持される。
この構成によれば、筐体１１の前後方向及び上下方向（即ち、送風ファン支持部材７１の挿入方向に直交する方向である。）の送風ファン７２の占有スペースを小さくでき、筐体１１の前後方向及び上下方向の小型化を図ることができる。
【００３３】
以上、各実施の形態に基づいて本発明を説明したが、あくまでも本発明の一実施の態様を例示するものであるから、本発明の趣旨を逸脱しない範囲において任意に変更及び応用が可能である。
【産業上の利用可能性】
【００３４】
本発明に係る飲料ディスペンサは、送風ファンのメンテナンス性を向上させることのできる飲料ディスペンサとして好適に利用可能である。
【符号の説明】
【００３５】
１０  飲料ディスペンサ
１１  筐体
５５  冷却装置
６６  送風ファン設置部
７１  送風ファン支持部材
７２  送風ファン
８８  開口部
【図１】
2020132219.tif 000003
【図２】
2020132219.tif 000004
【図３】
2020132219.tif 000005
【図４】
2020132219.tif 000006
【図５】
2020132219.tif 000007
【図６】
2020132219.tif 000008